(57)【要約】【課題】負荷に対する電力供給のオン／オフを制御可能であるとともに、故障時においても負荷に対する意図しない出力切替を回避することができる無停電電源装置を提供する。【解決手段】交流電源１により出力された交流電力に基づき安定化した交流電力を出力するインバータ電源部（ＡＣ／ＤＣコンバータ２、コンデンサ３、及びＤＣ／ＡＣインバータ４）と、インバータ電源部による出力の有無に応じて交流電源１の出力とインバータ電源部の出力とのいずれか一方を選択して出力する切替リレー部５と、接続用のセットコイル７ａ及び切り離し用のリセットコイル７ｂを有し且つ切替リレー部５により出力された交流電力の負荷に対する供給を制御するラッチングリレー（制御リレー部７）とを備える。【選択図】図１
2010068674.tif 000002
【特許請求の範囲】
【請求項１】
交流電源により出力された交流電力に基づき安定化した交流電力を出力するインバータ電源部と、
前記インバータ電源部による出力の有無に応じて前記交流電源の出力と前記インバータ電源部の出力とのいずれか一方を選択して出力する切替リレー部と、
接続用のセットコイル及び切り離し用のリセットコイルを有し且つ前記切替リレー部により出力された交流電力の負荷に対する供給を制御するラッチングリレーと、
を備えることを特徴とする無停電電源装置。
【請求項２】
前記インバータ電源部の動作を制御するとともに、前記インバータ電源部の出力の有無にかかわらず前記切替リレー部の切替制御を行う制御回路を備えることを特徴とする請求項１記載の無停電電源装置。
【請求項３】
前記制御回路は、前記セットコイル及び前記リセットコイルに流れる電流を制御することにより前記ラッチングリレーのオン／オフを制御することを特徴とする請求項２記載の無停電電源装置。
【請求項４】
前記インバータ電源部は、
前記交流電源により出力された交流電力を直流電力に変換するＡＣ／ＤＣコンバータと、
前記ＡＣ／ＤＣコンバータにより出力された直流電力を交流電力に変換するＤＣ／ＡＣインバータと、
を備えることを特徴とする請求項１乃至請求項３のいずれか１項記載の無停電電源装置。
【発明の詳細な説明】
【技術分野】
【０００１】
本発明は、商用電源等の交流電源出力を直接給電するバイパスルートを備えた無停電電源装置に関する。
【背景技術】
【０００２】
従来から、短時間の停電補償を目的とする無停電電源装置は、高い供給信頼性を有する電源供給手段として様々なシステムや機器に利用されている。常時インバータ給電方式の無停電電源装置は、商用電源が正常な場合において、商用電源からの交流電力を直流電力に変換し、得た直流電力を平滑化し、さらに交流電力に変換して安定化した電力を負荷に供給するので、入力電源の電圧変動にかかわらず常に出力電圧が一定であり、周波数の乱れが発生しない。また、商用電源が停電等を生じた場合において、当該無停電電源装置は、蓄電池やコンデンサによる直流電力を交流電力に変換して負荷に供給する。
【０００３】
また、常時インバータ給電方式の無停電電源装置は、インバータの故障に備えて交流電源から直接給電するバイパスルートを有する。図６は、従来の無停電電源装置の構成を示すブロック図である。この無停電電源装置は、図６に示すように、交流電源１と、ＡＣ／ＤＣコンバータ２と、コンデンサ３と、ＤＣ／ＡＣインバータ４と、切替リレー部５と、制御回路６とを備えており、交流電源１からＤＣ／ＡＣインバータ４を経由せずに直接負荷に給電するためのバイパスルート（側路）を有する。
【０００４】
ＡＣ／ＤＣコンバータ２は、交流電源１により出力された交流電力を直流電力に変換する。コンデンサ３は、ＡＣ／ＤＣコンバータ２により変換された直流電力を平滑化するとともに、蓄電池としての役割を果たす。また、ＤＣ／ＡＣインバータ４は、ＡＣ／ＤＣコンバータ２により変換されコンデンサ３により平滑化された直流電力を再び交流電力に変換する。
【０００５】
切替リレー部５は、リレーコイル５ａと切替リレー５ｂとからなり、交流電源１の出力とＤＣ／ＡＣインバータ４の出力とから一方を選択して図示しない負荷に出力する。具体的には、リレーコイル５ａは、制御回路６に接続されており、電流が流れた場合に切替リレー５ｂをａ側（ＤＣ／ＡＣインバータ４側）に切替制御し、電流が流れていない場合に切替リレー５ｂをｂ側（交流電源１側）に切替制御する。また、切替リレー５ｂは、上述したようにａ側（ＤＣ／ＡＣインバータ４側）とｂ側（交流電源１側）とのいずれかが負荷に接続されるように接点を切り替える。切替リレー５ｂによる負荷に対する出力は、図６に示すようにａ側を選択した場合もｂ側を選択した場合もＡＣ１００Ｖの交流電圧であるが、ａ側が選択されている場合には、ＤＣ／ＡＣインバータ４により、交流電源１の状態にかかわらず定電圧・定周波数の出力が補償される。
【０００６】
制御回路６は、ＡＣ／ＤＣコンバータ２、ＤＣ／ＡＣインバータ４、及びリレーコイル５ａを制御することにより、負荷に対する供給電力の電圧・周波数を制御するとともに、交流電源１出力とＤＣ／ＡＣインバータ４出力とから一方を選択して負荷に対する出力の切り替えを行う。
【０００７】
次に、従来の無停電電源装置の動作について説明する。図６に示す従来の無停電電源装置は、常時インバータ給電方式であるため、通常はＤＣ／ＡＣインバータ４により出力された電力が負荷に供給される。したがって、制御回路６は、リレーコイル５ａに電流を流すことにより、切替リレー５ｂをａ側に制御する。また、制御回路６は、ＡＣ／ＤＣコンバータ２及びＤＣ／ＡＣインバータ４を制御することにより、所望する定電圧・定周波数の電力が負荷に供給されるように制御する。
【０００８】
交流電源１により出力された交流電力は、ＡＣ／ＤＣコンバータ２により直流電力に変換され、コンデンサ３により平滑化されてＤＣ／ＡＣインバータ４に入力される。ＤＣ／ＡＣインバータ４は、入力された直流電力を再び交流電力に変換し、切替リレー部５を介して図示されない負荷に対して出力する。
【０００９】
一方、制御回路６は、ＤＣ／ＡＣインバータ４が故障した場合や、過負荷時において必要とされる電力がＤＣ／ＡＣインバータ４の供給能力を超えてしまった場合、あるいは負荷に対する電力供給を継続したまま点検・保守作業を行う場合等に、リレーコイル５ａに対する電流を止め、切替リレー５ｂをｂ側に切替制御する。これによって、交流電源１は、側路及び切替リレー部５を介して負荷に対して直接電力供給を行う。
【００１０】
このように、図６に示す従来の無停電電源装置によれば、ＤＣ／ＡＣインバータ４により、交流電源１の状態にかかわらず定電圧・定周波数の電力を安定して負荷に供給することができるとともに、電力供給経路を選択可能な切替リレー部５を備えることにより、ＤＣ／ＡＣインバータ４の故障時等においても、バイパスルートを使用して交流電源１による電力を負荷に直接給電することができる。
【００１１】
ここで、図６に示す無停電電源装置は、制御回路６が故障した場合に切替リレー部５の制御を行うことができないという問題点を有する。制御回路６が故障した場合、制御回路６はＤＣ／ＡＣインバータ４の制御を行うことができずＤＣ／ＡＣインバータ４の出力が停止するため、切替リレー５ｂは、ｂ側（バイパスルート側）に切り替えて交流電源１による直接給電を負荷に対して行うのが理想である。しかしながら、制御回路６の故障によりリレーコイル５ａに電流が流れ続ける場合、制御回路６は、切替リレー５ｂをｂ側に切替制御することができず、負荷に対する電力供給を停止させてしまう。
【００１２】
そこで、この問題を解決するために、無停電電源装置の構成を図７に示すブロック図のように変更することが考えられる。図７に示す無停電電源装置において、図６に示す無停電電源装置との異なる点は、切替リレー部５がリレーコイル５ａの代わりにＤＣ／ＡＣインバータ４の出力側に接続されたリレーコイル５ｃを備えた点である。
【００１３】
リレーコイル５ｃは、ＤＣ／ＡＣインバータ４の出力に応じてリレー５ｂの切替制御を行う。具体的には、ＤＣ／ＡＣインバータ４が運転を行っている場合にはリレーコイル５ｃに電流が流れるため、リレーコイル５ｃは、図７に示すように切替リレー５ｂをａ側（ＤＣ／ＡＣインバータ４側）に切替制御する。これにより、交流電源１により出力された電力は、ＡＣ／ＤＣコンバータ２、コンデンサ３、及びＤＣ／ＡＣコンバータ４を経て安定化した後、切替リレー部５を介して負荷に出力される。
【００１４】
一方、ＤＣ／ＡＣインバータ４が運転を停止している場合にはリレーコイル５ｃに電流が流れないため、リレーコイル５ｃは、図８に示すように切替リレー５ｂをｂ側（交流電源１側）に切替制御する。これにより、交流電源１により出力された電力は、バイパスルート（側路）及び切替リレー部５を介して、直接負荷に出力される。
【００１５】
また、制御回路６は、ＤＣ／ＡＣインバータ４の出力の有無にかかわらず、リレーコイル５ｃを制御することができる。したがって、制御回路６は、ＤＣ／ＡＣインバータ４が運転中の場合においても、例えば過負荷時等にリレーコイル５ｃを制御して切替リレー５ｂを強制的にｂ側（交流電源１側）に切り替えることができる。
【００１６】
図７，８に示す無停電電源装置によれば、制御回路６が故障してＤＣ／ＡＣインバータ４の出力が停止した場合に、自動的に切替リレー５ｂをｂ側（交流電源１側）に切替制御することができるので、負荷に対する電力供給を停止することなく継続することができる。
【００１７】
特許文献１には、２つの無停電電源装置の各々の出力に応じて切り替わるスイッチを備えた無停電電源回路が記載されている。この無停電電源回路によれば、２つの無停電電源装置のいずれかの出力が停止した場合においても、当該出力の状態に応じて、出力を有する無停電電源装置に自動的に負荷が接続されるので、負荷に対する電力供給を停止することなく継続することができる。
【特許文献１】実開平３−８６７５１号公報
【発明の開示】
【発明が解決しようとする課題】
【００１８】
しかしながら、図７，８に示す無停電電源装置は、切替リレー部５が交流電源１側出力とＤＣ／ＡＣインバータ４側出力とのいずれか一方を必ず選択して負荷に出力するとともに、ＤＣ／ＡＣインバータ４が停止してリレーコイル５ｃに電圧がかからない状態になった場合には自動的に交流電源１側を選択するため、負荷への電力供給を必要に応じて停止させることができないという問題点を有する。
【００１９】
仮に、切替リレー部５の後段に負荷に対する出力のオン／オフ制御を行う制御リレーを設け、制御回路６により当該制御リレーを制御できるような構成とすれば、この無停電電源装置は、負荷への電力供給を必要に応じて停止させることもできる。
【００２０】
しかしながら、このような無停電電源装置は、制御回路６が故障した場合に当該制御リレーに対する制御も不可能となるため、制御リレーの接点の種類によって様々な問題が生ずる。例えば、制御リレーがａ接点リレー（コイルに通電した場合に接点が閉じるリレー）であるとすると、制御回路６が故障した際に制御リレーがオフし、無停電電源装置は負荷に対する電力供給を強制的に停止してしまう。
【００２１】
逆に、制御リレーがｂ接点リレー（コイルに通電した場合に接点が開くリレー）であるとすると、制御回路６が故障した際に制御リレーがオンし、無停電電源装置は負荷に対する電力供給を強制的に開始してしまう。この場合、無停電電源装置は、利用者側から見ると出力を停止しているように見えるにもかかわらず、実際には負荷に対して電力供給を行っているといった事態が生ずるおそれがあり、意図しない出力による負荷の誤動作といった問題や利用者の感電等といった安全面における問題を招来する可能性がある。
【００２２】
本発明は上述した従来技術の問題点を解決するもので、負荷に対する電力供給のオン／オフを制御可能であるとともに、故障時においても負荷に対する意図しない出力切替を回避することができる無停電電源装置を提供することを課題とする。
【課題を解決するための手段】
【００２３】
本発明に係る無停電電源装置は、上記課題を解決するために、交流電源により出力された交流電力に基づき安定化した交流電力を出力するインバータ電源部と、前記インバータ電源部による出力の有無に応じて前記交流電源の出力と前記インバータ電源部の出力とのいずれか一方を選択して出力する切替リレー部と、接続用のセットコイル及び切り離し用のリセットコイルを有し且つ前記切替リレー部により出力された交流電力の負荷に対する供給を制御するラッチングリレーとを備えることを特徴とする。
【発明の効果】
【００２４】
本発明によれば、負荷に対する電力供給のオン／オフを制御可能であるとともに、故障時においても負荷に対する意図しない出力切替を回避することができる無停電電源装置を提供することができる。
【発明を実施するための最良の形態】
【００２５】
以下、本発明の無停電電源装置の実施の形態を、図面に基づいて詳細に説明する。
【実施例１】
【００２６】
以下、本発明の実施例について図面を参照しながら説明する。図１は、本発明の実施例１の無停電電源装置の構成を示すブロック図である。この無停電電源装置は、図１に示すように、交流電源１と、ＡＣ／ＤＣコンバータ２と、コンデンサ３と、ＤＣ／ＡＣインバータ４と、切替リレー部５と、制御回路６と、制御リレー部７とを備えており、交流電源１からＤＣ／ＡＣインバータ４を経由せずに直接負荷に給電するためのバイパスルート（側路）を有する。すなわち、図７，８に示す従来の無停電電源装置と異なる点は、制御リレー部７を備えている点である。
【００２７】
ＡＣ／ＤＣコンバータ２、コンデンサ３、及びＤＣ／ＡＣインバータ４は、本発明のインバータ電源部に対応し、交流電源１により出力された交流電力に基づき安定化した交流電力を出力する。
【００２８】
ＡＣ／ＤＣコンバータ２は、交流電源１により出力された交流電力を直流電力に変換する。コンデンサ３は、ＡＣ／ＤＣコンバータ２により変換された直流電力を平滑化するとともに、蓄電池としての役割を果たす。また、ＤＣ／ＡＣインバータ４は、ＡＣ／ＤＣコンバータ２により変換されコンデンサ３により平滑化された直流電力を再び交流電力に変換する。
【００２９】
切替リレー部５は、リレーコイル５ｃと切替リレー５ｂとからなり、インバータ電源部による出力の有無に応じて交流電源１の出力とインバータ電源部の出力とのいずれか一方を選択して出力する。リレーコイル５ｃは、ＤＣ／ＡＣインバータ４の出力側に接続され、ＤＣ／ＡＣインバータ４の出力に応じて切替リレー５ｂの切替制御を行う。具体的なリレーコイル５ｃの動作は、図７，８において説明した従来の無停電電源装置のリレーコイル５ｃと同様であり、重複した説明を省略する。また、切替リレー５ｂは、従来と同様にａ側（ＤＣ／ＡＣインバータ４側）とｂ側（交流電源１側）とのいずれかが負荷に接続されるように接点を切り替えるｃ接点リレー（リレーコイル５ｃに対する通電状態に応じて複数の接点を切り替えるリレー）である。
【００３０】
制御リレー部７は、本発明のラッチングリレーに対応し、接続用のセットコイル７ａ及びリセットコイル７ｂを有し、切替リレー部５により出力された交流電力の負荷に対する供給を制御する。具体的には、制御リレー部７は、ラッチングリレーであるため、セットコイル７ａに電圧が印加されて所定の電流が流れた場合にオンするとともに、リセットコイル７ｂに電圧が印加されて所定の電流が流れた場合にオフする。逆に言えば、制御リレー部７は、セットコイル７ａに通電してオンした後において、リセットコイル７ｂに電圧が印加されない限りオン状態を継続する。
【００３１】
制御回路６は、インバータ電源部（ＡＣ／ＤＣコンバータ２及びＤＣ／ＡＣインバータ４）の動作を制御することにより、負荷に対する供給電力の電圧・周波数を制御する。また、制御回路６は、リレーコイル５ｃを制御することにより、インバータ電源部（ＤＣ／ＡＣインバータ４）の出力の有無にかかわらず強制的に切替リレー部５の切替制御を行うことができ、これによりバイパスルート（側路）による交流電源１出力とＤＣ／ＡＣインバータ４出力とから一方を選択して負荷に対する出力の切り替えを行う。すなわち、リレーコイル５ｃは、通常の状態において上述したようにＤＣ／ＡＣインバータ４の出力に応じて切替リレー５ｂの切替制御を行うが、過負荷時のようにＤＣ／ＡＣインバータ４の運転状況にかかわらずバイパスルート（側路）を介した交流電源１出力を必要とする場合等において、制御回路６による強制的な制御に応じて切替リレー５ｂの切替制御を行う。
【００３２】
さらに、制御回路６は、セットコイル７ａ及びリセットコイル７ｂに流れる電流を制御することにより、制御リレー部７（ラッチングリレー）のオン／オフを制御する。これにより、制御リレー部７のオン／オフのタイミングは、例えば利用者が外部のスイッチを押すこと等により決定される。その場合、制御回路６は、当該外部のスイッチの状態に応じてセットコイル７ａあるいはリセットコイル７ｂに電流を流し、制御リレー部７のオン／オフを制御する。これにより制御回路６は、負荷に対する電力供給のオン／オフを制御することができる。
【００３３】
次に、上述のように構成された本実施の形態の作用を説明する。まず、図１に示す無停電電源装置は、常時インバータ給電方式であるため、通常はＤＣ／ＡＣインバータ４により出力された電力が負荷に供給される。制御回路６は、ＡＣ／ＤＣコンバータ２及びＤＣ／ＡＣインバータ４を制御することにより、所望する定電圧・定周波数の電力が負荷に供給されるように制御する。
【００３４】
図２は、本発明の実施例１の無停電電源装置のＤＣ／ＡＣインバータ４が正常運転中の場合における動作を示す図である。この場合において、交流電源１により出力された交流電力は、ＡＣ／ＤＣコンバータ２により直流電力に変換され、コンデンサ３により平滑化されてＤＣ／ＡＣインバータ４に入力される。ＤＣ／ＡＣインバータ４は、入力された直流電力を再び交流電力に変換して出力する。すなわちＤＣ／ＡＣインバータ４は、図２に示すように、制御回路６の制御にしたがって定電圧・定周波数の電力（正常なインバータ電圧）を出力する。
【００３５】
ＤＣ／ＡＣインバータ４により生成されたインバータ電圧が印加することでリレーコイル５ｃに電流が流れるため、リレーコイル５ｃは、切替リレー５ｂをａ側（ＤＣ／ＡＣインバータ４側）に切替制御する。また、制御回路６は、セットコイル７ａに電流を流すことにより、制御リレー部７をオン制御する。
【００３６】
これにより、交流電源１により出力された電力は、ＡＣ／ＤＣコンバータ２、コンデンサ３、及びＤＣ／ＡＣコンバータ４を経て安定化した後、切替リレー部５及び制御リレー部７を介して負荷に供給される。
【００３７】
なお、制御リレー部７は、ラッチングリレーであるため、一度セットコイル７ａに通電することによりオンした後は継続して電流を流す必要はなく、その後リセットコイル７ｂに電流が流れるまでオン状態を維持する。
【００３８】
また、制御回路６は、過負荷時において必要とされる電力がＤＣ／ＡＣインバータ４の供給能力を超えてしまった場合等に、ＤＣ／ＡＣインバータ４の出力の有無にかかわらずリレーコイル５ｃを制御して切替リレー５ｂをｂ側に強制的に切替制御することができる。この場合、交流電源１は、側路、切替リレー部５、及び制御リレー部７を介して負荷に対して直接電力供給を行う。
【００３９】
次に、無停電電源装置を停止して負荷に対する電力供給を停止する場合について述べる。図３は、本発明の実施例１の無停電電源装置のＤＣ／ＡＣインバータ４が停止中の場合における動作を示す図である。この場合において、リレーコイル５ｃにはＤＣ／ＡＣインバータ４により生成されたインバータ電圧が印加されず電流が流れないため、リレーコイル５ｃは、切替リレー５ｂをｂ側（交流電源１側）に切替制御する。このため、交流電源１により出力された交流電力は、インバータ電源部を通らずに直接バイパスルート（側路）を介して切替リレー部５に供給される。
【００４０】
しかしながら、無停電電源装置が停止中の場合において、制御回路６は、リセットコイル７ｂに電流を流すことにより、制御リレー部７をオフ制御する。そのため、交流電源１により出力された電力は、負荷に対して供給されることはない。
【００４１】
次に無停電電源装置を正常運転中（すなわち図２の状態）に制御回路６が故障した場合の動作について述べる。図４は、本発明の実施例１の無停電電源装置の正常運転中に制御回路６が故障した場合における動作を示す図である。この場合において、ＤＣ／ＡＣインバータ４は、制御回路６による制御が失われるため、運転を停止する。そのため、ＤＣ／ＡＣインバータ４によるインバータ電圧がリレーコイル５ｃに印加されず、リレーコイル５ｃは、切替リレー５ｂをｂ側（交流電源１側）に切替制御する。これにより、交流電源１により出力された交流電力は、インバータ電源部を通らずに直接バイパスルート（側路）を介して切替リレー部５に供給される。
【００４２】
一方、制御回路６は、故障後において、セットコイル７ａ及びセットコイル７ｂに対して電流を流すことはできない。正常運転時においてオン制御されていた制御リレー部７は、制御回路６が故障してセットコイル７ａに対する電流が失われた後においても、オン状態を維持する。したがって、交流電源１により出力された電力は、バイパスルート（側路）、切替リレー部５、及び制御リレー部７を介して負荷に供給される。すなわち、本発明の無停電電源装置は、正常運転中に制御回路６が故障した場合においても負荷に対する電力供給を停止せずに継続して電力供給を行うので、意図せずに負荷に対する電力供給が突然停止するといった事態を回避することができる。
【００４３】
次に無停電電源装置を停止中（すなわち図３の状態）に制御回路６が故障した場合の動作について述べる。図５は、本発明の実施例１の無停電電源装置の停止中に制御回路６が故障した場合における動作を示す図である。この場合において、ＤＣ／ＡＣインバータ４は、制御回路６の故障の前後を通して運転を停止したままである。したがって、リレーコイル５ｃは、切替リレー５ｂをｂ側（交流電源１側）に維持するように制御する。交流電源１により出力された交流電力は、図３に示す場合と同様に、インバータ電源部を通らずに直接バイパスルート（側路）を介して切替リレー部５に供給される。
【００４４】
また、制御回路６は、故障後において、セットコイル７ａ及びセットコイル７ｂに対して電流を流すことはできない。無停電電源装置を停止中（すなわち図３の状態）においてオフ制御されていた制御リレー部７は、制御回路６が故障してリセットコイル７ｂに対する電流が失われた後においても、オフ状態を維持する。したがって、交流電源１により出力された電力は、制御回路６の故障後においても、負荷に対して供給されることはない。すなわち、本発明の無停電電源装置は、運転停止中に制御回路６が故障した場合において、意図せずに負荷に対する電力供給が突然再開されるといった事態を回避し、負荷の誤動作や利用者の感電等を防止することができる。
【００４５】
上述のとおり、本発明の実施例１の形態に係る無停電電源装置によれば、負荷に対する電力供給のオン／オフを制御可能であるとともに、故障時においても負荷に対する意図しない出力切替を回避することができる。
【００４６】
すなわち、本実施例の無停電電源装置は、ラッチングリレーである制御リレー部７を備えているので、制御回路６が制御リレー部７を制御することにより負荷に対する電力供給のオン／オフを制御することができるとともに、正常運転中あるいは運転停止中に制御回路６が故障したとしても、制御リレー部７が故障直前の電源供給状態に合わせて出力状態を継続するので、意図しない電力供給の停止や負荷の誤動作、利用者の感電等を防止することができる。
【００４７】
また、制御回路６は、ＤＣ／ＡＣインバータ４の出力の有無にかかわらずリレーコイル５ｃを制御して切替リレー５ｂの切替制御を行うことができるので、過負荷時において必要とされる電力がＤＣ／ＡＣインバータ４の供給能力を超えてしまった場合等に負荷に対して交流電源１から直接電力供給を行うことができる。
【００４８】
さらに、制御回路６は、ラッチングリレーである制御リレー部７のセットコイル７ａ及びリセットコイル７ｂに対する電流制御（セット信号及びリセット信号の制御）を行うので、自身が故障した場合に制御を停止して制御リレー部７のオン／オフ状態を維持させることができる。
【００４９】
また、切替リレー部５は、インバータ電源部を通るルートとバイパスルートのいずれか一方のルートを選択するｃ接点リレーであるが、例えば各ルートに対する接点をａ接点リレー及びｂ接点リレーとする構成も考えられる。その場合には、両接点リレーに対する通電の有無により、切替リレー部５は、ルートの接続切替が可能である。しかしながら、２つの接点リレーによる構成とした切替リレー部５は、いずれかの接点リレーが故障することにより両接点リレーがオフとなって電力供給が停止する可能性がある。その点、本実施例のようなｃ接点リレーを利用する切替リレー部５は、必ずいずれか一方の接点が接続されているため、意図せずに負荷に対する電力供給が停止する可能性が低いという利点がある。
【産業上の利用可能性】
【００５０】
本発明に係る無停電電源装置は、商用電源又は交流発電機等の他の交流電源を使用した無停電電源装置に利用可能である。
【図面の簡単な説明】
【００５１】
【図１】本発明の実施例１の形態の無停電電源装置の構成を示すブロック図である。
【図２】本発明の実施例１の形態の無停電電源装置のＤＣ／ＡＣインバータが正常運転中の場合における動作を示す図である。
【図３】本発明の実施例１の形態の無停電電源装置のＤＣ／ＡＣインバータが停止中の場合における動作を示す図である。
【図４】本発明の実施例１の形態の無停電電源装置の正常運転中に制御回路が故障した場合における動作を示す図である。
【図５】本発明の実施例１の形態の無停電電源装置の停止中に制御回路が故障した場合における動作を示す図である。
【図６】従来の無停電電源装置の構成を示すブロック図である。
【図７】従来の無停電電源装置の動作を示す図である。
【図８】従来の無停電電源装置の動作を示す図である。
【符号の説明】
【００５２】
１      交流電源
２      ＡＣ／ＤＣコンバータ
３      コンデンサ
４      ＤＣ／ＡＣインバータ
５      切替リレー部
５ａ    リレーコイル
５ｂ    切替リレー
５ｃ    リレーコイル
６      制御回路
７      制御リレー部
７ａ    セットコイル
７ｂ    リセットコイル
【図１】
2010068674.tif 000003
【図２】
2010068674.tif 000004
【図３】
2010068674.tif 000005
【図４】
2010068674.tif 000006
【図５】
2010068674.tif 000007
【図６】
2010068674.tif 000008
【図７】
2010068674.tif 000009
【図８】
2010068674.tif 000010